(57)【要約】【課題】互いに離れた複数の利用者が、ネットワーク５を介して同時に演奏を行う場合に、各利用者が演奏データを調整できる合奏システム、合奏装置および合奏方法を提供することを目的としている。【解決手段】ネットワーク５は、インターネット等の通信回線であり、利用者が使用する利用者端末１、本サービス提供者が使用するサーバ装置２、利用者が本合奏システム利用時の登録や認証を行うデータサーバ装置３、音声および画像の調整と合成を行うミキシング装置４から構成される。【選択図】図１
2011075652.tif 000002
【特許請求の範囲】
【請求項１】
演奏データの合成に関する設定情報を生成する利用者端末の合成情報生成手段と、
前記利用者端末の前記合成情報生成手段で生成された演奏データの合成に関する情報を、ネットワークを介して接続されている演奏データの合成を行うミキシング装置に送信する前記利用者端末の合成情報送信手段と、
前記合成情報送信手段からの前記演奏データの合成に関する情報を受信する前記ミキシング装置の合成情報受信手段と、
前記合成情報受信手段で受信した前記演奏データの合成に関する情報に基づき、複数の利用者端末からの演奏データの合成を行う前記ミキシング装置の演奏データ合成手段と、
前記ミキシング装置の演奏データ合成手段で生成された前記演奏データを前記利用者端末に送信する合成演奏データ送信手段と、
を備えることを特徴とする合奏システム。
【請求項２】
前記利用者端末の演奏データの合成に関する設定情報は、
音量を可変する音量可変情報、
または左右のバランス比を調整する音量調整情報、
または画質を調整する画質調整情報、
または画像位置を調整する画像位置調整情報、
または画像オーバーレイの度合いを調整する画像オーバーレイの度合い調整情報
の少なくとも１つ
を備えることを特徴とする請求項１に記載の合奏システム。
【請求項３】
前記合成情報受信手段で受信した前記演奏データの合成に関する設定情報を、前記利用者端末に送信する合成情報送信手段と、
を備えることを特徴とする請求項１から２のいずれか１項に記載の合奏システム。
【請求項４】
前記ミキサー装置の演奏データ合成手段で合成した演奏データを記憶する前記ミキサー装置の合成演奏データ記憶手段と、
を備えることを特徴とする請求項１から３のいずれか１項に記載の合奏システム。
【請求項５】
前記ミキサー装置の合成演奏データ記憶手段は、ネットワークを介して接続されている記憶装置に記憶する合成演奏データ外部記憶手段と、
を備えることを特徴とする請求項１から４のいずれか１項に記載の合奏システム。
【請求項６】
前記ミキサー装置の合成演奏データ記憶手段は、演奏データの音声データと画像データを分離し、異なる記憶部に記憶する前記ミキサー装置の合成演奏データ分離記憶手段と、
を備えることを特徴とする請求項１から５のいずれか１項に記載の合奏システム。
【請求項７】
前記ミキサー装置の合成演奏データ記憶手段で記憶した演奏データを読み出し、前記利用者端末に送信する前記ミキサー装置のデータ送信手段と、
を備えることを特徴とする請求項１から６のいずれか１項に記載の合奏システム。
【請求項８】
ネットワークを介して接続されている利用者端末の演奏データの合成に関する設定情報を受信する合成情報受信手段と、
前記合成情報受信手段で受信した前記演奏データの合成に関する設定情報に基づき、前記前記演奏データの合成を行う演奏データ合成手段と、
前記演奏データ合成手段で合成された前記演奏データを前記利用者端末に送信する合成演奏データ送信手段と、
を備えることを特徴とする合奏装置。
【請求項９】
演奏データの合成に関する設定情報を生成する合成情報生成手段と、
前記合成情報生成手段で生成された演奏データの合成に関する設定情報を、ネットワークを介して接続されている演奏データの合成を行うミキシング装置に送信する前記利用者端末の合成情報送信手段と、
前記ミキシング装置で合成された前記演奏データを受信する合成演奏データ受信手段と、
を備えることを特徴とする合奏装置。
【請求項１０】
演奏データの合成に関する設定情報を生成する利用者端末の合成情報生成工程と、
前記利用者端末の前記合成情報生成工程で生成された演奏データの合成に関する設定情報を、ネットワークを介して接続されている演奏データの合成を行うミキシング装置に送信する前記利用者端末の合成情報送信工程と、
前記合成情報送信工程からの前記演奏データの合成に関する設定情報を受信する前記ミキシング装置の合成情報受信工程と、
前記合成情報受信工程で受信した前記演奏データの合成に関する設定情報に基づき、前記演奏データの合成を行う前記ミキシング装置の演奏データ合成工程と、
前記ミキシング装置の演奏データ合成工程で生成された前記演奏データを前記利用者端末に送信する合成演奏データ送信工程と、
を備えることを特徴とする合奏方法。
【発明の詳細な説明】
【技術分野】
【０００１】
本発明は、合奏システム、合奏装置および合奏方法に関する。
【背景技術】
【０００２】
従来、インターネットなどのネットワークを介して、複数の利用者が別の場所で演奏を行い、各利用者が行った演奏データを合奏システム提供者側で受信して、受信した複数の利用者が行った演奏データを合成して、各利用者にリアルタイムで合成された演奏データを送信する仮想的な音楽練習室による合奏システムがある（例えば、特許文献1参照）。
【先行技術文献】
【特許文献】
【０００３】
【特許文献１】特開２００３−１５０１５７号公報
【発明の概要】
【発明が解決しようとする課題】
【０００４】
しかしながら、従来技術では、利用者が行っている演奏データの合成において、合奏システムの管理者側で、特定の利用者が演奏開始時に設定した利用者の仮想的な配置情報に基づいて、各利用者の演奏に対する音量および左右のバランスを調整し合成を行っていたので、演奏中および演奏曲ごとに、各利用者が自分で音量や左右のバランスを可変できないという課題があった。
【０００５】
本発明は、上記の問題点に鑑みてなされたものであって、演奏中に各利用者が音声や画像を調整できる合奏システム、合奏装置および合奏方法を提供することを目的としている。
【課題を解決するための手段】
【０００６】
本発明は、演奏データの合成に関する設定情報を生成する利用者端末の合成情報生成手段と、前記利用者端末の前記合成情報生成手段で生成された演奏データの合成に関する設定情報を、ネットワークを介して接続されている演奏データの合成を行うミキシング装置に送信する前記利用者端末の合成情報送信手段と、前記合成情報送信手段からの前記演奏データの合成に関する設定情報を受信する前記ミキシング装置の合成情報受信手段と、
前記合成情報受信手段で受信した前記演奏データの合成に関する設定情報に基づき、複数の利用者端末からの演奏データの合成を行う前記ミキシング装置の演奏データ合成手段と、前記ミキシング装置の演奏データ合成手段で生成された前記演奏データを前記利用者端末に送信する合成演奏データ送信手段とを備えることを特徴とする。
【０００７】
また、本発明は、ネットワークを介して接続されている利用者端末の演奏データの合成に関する設定情報を受信する合成情報受信手段と、前記合成情報受信手段で受信した前記演奏データの合成に関する設定情報に基づき、前記前記演奏データの合成を行う演奏データ合成手段と、前記演奏データ合成手段で合成された前記演奏データを前記利用者端末に送信する合成演奏データ送信手段とを備えることを特徴とする。
【０００８】
さらにまた、本発明は、演奏データの合成に関する設定情報を生成する合成情報生成手段と、前記合成情報生成手段で生成された演奏データの合成に関するセ手地情報を、ネットワークを介して接続されている演奏データの合成を行うミキシング装置に送信する前記利用者端末の合成情報送信手段と、前記ミキシング装置で合成された前記演奏データを受信する合成演奏データ受信手段とを備えることを特徴とする。
【０００９】
さらにまた、本発明は、演奏データの合成に関する設定情報を生成する利用者端末の合成情報生成工程と、前記利用者端末の前記合成情報生成工程で生成された演奏データの合成に関する設定情報を、ネットワークを介して接続されている演奏データの合成を行うミキシング装置に送信する前記利用者端末の合成情報送信工程と、前記合成情報送信工程からの前記演奏データの合成に関する設定情報を受信する前記ミキシング装置の合成情報受信工程と、前記合成情報受信工程で受信した前記演奏データの合成に関する設定情報に基づき、前記演奏データの合成を行う前記ミキシング装置の演奏データ合成工程と、
前記ミキシング装置の演奏データ合成工程で生成された前記演奏データを前記利用者端末に送信する合成演奏データ送信工程とを備えることを特徴とする。
【発明の効果】
【００１０】
本発明によれば、利用者が合奏を行っている演奏データの合成において、演奏を行っている利用者側で演奏データの合成に関する設定情報を生成し、ネットワーク経由で接続されている演奏データを合成するミキシング装置に演奏データの合成に関する設定情報を送り合成を行い、ミキシング装置から合成後の演奏データを利用者に送信するようにしたので、演奏中および演奏曲ごとに各利用者が自由に演奏データの調整を行えるようになる。
【図面の簡単な説明】
【００１１】
【図１】本発明の第１の実施形態に係る合奏システムの各装置のブロック図である。
【図２】同実施形態に係る利用者端末の画像出力装置上に表示される画面構成図である。
【図３】同実施形態に係る処理手順を示す図である。
【図４】同実施形態に係る利用者データ記憶部に記憶されているデータを示す図である。
【図５】同実施形態に係る予約データ記憶部に記憶されているデータを示す図である。
【図６】同実施形態に係る特番データ記憶部に記憶されているデータを示す図である。
【図７】同実施形態に係る演奏データ記憶部に記憶されているデータを示す図である。
【図８】本発明の第２の実施形態に係る合奏システムの構成図である。
【図９】本発明の第２の実施形態に係る処理手順を示す図である。
【図１０】本発明の第２の実施形態に係る処理手順を示す図である。
【発明を実施するための形態】
【００１２】
[第１実施形態]
以下、図１〜７を用いて本発明の第１の実施形態について詳細に説明する。なお、本発明は係る実施形態に限定されず、その技術思想の範囲内で種々の変更が可能である。
【００１３】
図１は、本発明の第１の実施形態の合奏システムの各装置のブロック図である。
ネットワーク５は、インターネット等の通信回線であり、利用者が使用する利用者端末１、本サービス提供者が使用するサーバ装置２、利用者が本合奏システム利用時の登録や認証を行うデータサーバ装置３、音声および画像の調整と合成を行うミキシング装置４が接続されている。
また、利用者端末１は、利用者数に応じた台数がネットワーク５を介して接続されている。
【００１４】
利用者端末１は、利用者が使用する端末であり、音声入力部１１、画像入力部１２、音声出力部１３、画像出力部１４、通信制御部１５、登録依頼部１６、予約依頼部１７、認証依頼部１８、ミキサー操作部１９、ダウンロード依頼部２０、演奏データ受信部２１、音声・画像記憶部２２、利用料金部２８から構成されている。
また、利用者端末１には、音声入力装置２３、画像入力装置２４、音声再生装置２５、画像表示装置２６、キーボードやマウス等の入力装置２７が接続されている。
【００１５】
音声入力部１１は、マイクロフォン等の音声入力装置２３から音声データを受け取り、受け取った音声データを通信制御部１５に送る。
【００１６】
画像入力部１２は、ＵＳＢ（Ｕｎｉｖｅｒｓａｌ  Ｓｅｒｉａｌ  Ｂｕｓ）接続によるカメラ等の画像入力装置２４から画像データを受け取り、受け取った画像データを通信制御部１５に送る。
【００１７】
音声出力部１３は、ネットワーク５を介して通信制御部１５がミキシング装置４から受信した演奏データの音声データを、スピーカー等の音声再生装置２５に出力する。
【００１８】
画像出力部１４は、ネットワーク５を介して通信制御部１５がミキシング装置４から受信した演奏データの画像データを、画像表示装置２６に出力する。
また、画像出力部１４は、利用者端末１内の図示しない記憶部に記憶されているプログラムにより、画像表示装置２６の画面にメニューとミキサー表示部等の表示を行う。
【００１９】
図２は、第１の実施形態の画像出力装置２６上に表示される画面構成図である。
図２において、ネットワーク５を介して通信制御部１５がミキシング装置４から受け取った画像データＧ１〜Ｇ３、本合奏システムの操作メニューＧ１３、各利用者に対応したミキサー表示部Ｇ４〜Ｇ１２および楽譜Ｇ１４を合成して表示する。
【００２０】
画像データＧ１〜Ｇ３は、各利用者の利用者端末１に接続されている画像入力装置２４から入力された画像が表示される。
【００２１】
ミキサー表示部Ｇ４〜Ｇ１２は、各利用者の音量を示すレベルメータＧ５とＧ８とＧ１１、各利用者が音声調整を行う音量調整ボリュームＧ６とＧ９とＧ１２から構成されている。
【００２２】
操作メニューＧ１３は、本合奏システムへの「登録依頼」、予約時の「利用予約依頼」、合奏開始時の「認証依頼」、合奏終了時の「利用終了」、合奏で生成された演奏ファイルのダウンロードを依頼する「ダウンロード依頼」等から構成されている。
【００２３】
楽譜Ｇ１４は、例えば、利用者が図示しないＵＳＢメモリーから合奏に使用する楽譜データを、利用者端末１の図示しないＵＳＢ端子経由で利用者端末１に入力を行い、画像出力部１４経由で表示する。
【００２４】
通信制御部１５は、音声入力部１１から受け取った音声データと、画像入力部１２から受け取った画像データを、ネットワーク５を介してミキシング装置４に送信する制御を行う。
また、通信制御部１５は、ミキシング装置４から演奏中の合成された演奏データを受信し、ミキシング装置４から受信した演奏データから音声データを音声出力部１３に送り、受信した演奏データから画像データを画像出力部１４に送る制御を行う。
また、通信制御部１５は、登録依頼部１６、予約依頼部１７、認証依頼部１８、ダウンロード依頼部２０から各コマンドを受け取り、受け取ったコマンドをコマンドに応じてサーバ装置２とミキシング装置４にネットワーク５を介して発行する制御を行う。
【００２５】
通信制御部１５は、サーバ装置２から演奏により生成された演奏データを受信し、演奏データ受信部２１に送る制御を行う。
また、通信制御部１５は、ミキサー操作部１９から受け取った音声データの音量調整量と左右のバランス比等の情報を、ミキシング装置４に送信する制御を行う。
また、通信制御部１５は、ミキシング装置４から各利用者の音声データの音量調整量と左右のバランス比等の情報を受信し、ミキサー操作部１９に送る制御を行う。
【００２６】
通信制御部１５は、サーバ装置２から利用料金である課金データを受け取り、利用料金部２８に送る制御を行う。
【００２７】
登録依頼部１６は、画像表示装置２６上に表示されている操作メニューＧ１３の利用者操作に応じて加入者名を含む登録依頼を生成し、ネットワーク５を介してサーバ装置２に発行する。
また、登録依頼部１６は、サーバ装置２からの登録依頼に対する応答を、ネットワーク５を介して受け取る。
【００２８】
予約依頼部１７は、画像表示装置２６上に表示されている操作メニューＧ１３の利用者操作に応じて利用予約依頼を生成し、ネットワーク５を介してサーバ装置２に生成された利用予約依頼を発行する。
また、予約依頼部１７は、サーバ装置２からの利用予約依頼に対する応答を、ネットワーク５を介して受け取る。
【００２９】
認証依頼部１８は、画像表示装置２６上に表示されている操作メニューＧ１３の利用者操作に応じて認証依頼を生成し、ネットワーク５を介してミキシング装置４に生成された認証依頼を送る。
また、認証依頼部１８は、ミキシング装置２からの認証依頼に対する応答を、ネットワーク５を介して受け取る。
【００３０】
ミキサー操作部１９は、ミキシング装置４から受信した各利用者の音量調整量を受け取り、画像表示装置２６上に表示されているミキサー表示部Ｇ４〜Ｇ１２に表示するためのレベルメータとボリューム位置状態の画像データを生成する。
また、ミキサー操作部１９は、利用者がキーボードやマウス等の入力装置２７で音量調整を行った場合、音声データの音量調整量と左右のバランス比の情報をミキシング装置４にネットワーク５を介して送る。
【００３１】
ダウンロード依頼部２０は、画像表示装置２６上に表示されている操作メニューＧ１３の利用者操作に応じてダウンロード依頼を生成し、ネットワーク５を介してサーバ装置２に生成されたダウンロード依頼を発行する。
また、ダウンロード依頼部２０は、サーバ装置２からの認証依頼に対する応答を、ネットワーク５を介して受け取る。
【００３２】
演奏データ受信部２１は、サーバ装置２から送信された合奏を行った演奏データを通信制御部１５から受け取り、音声・画像記憶部２２に記憶する。
【００３３】
音声・画像記憶部２２は、演奏データ受信部２１がサーバ装置２から受信した演奏データを記憶する。
【００３４】
利用料金部２８は、ネットワーク５を介してサーバ装置２から本合奏システムの利用料金である課金データを受け取り、サーバ装置２から受け取った利用料金を画像出力部１４に送り、画像表示装置２６上に表示する。
【００３５】
サーバ装置２は、本サービス提供者が使用する装置であり、通信制御部１０１、登録要求部１０２、利用予約要求部１０３、演奏データ送受信部１０４、ダウンロード要求部１０５、課金データ受付部１０６から構成されている。
【００３６】
通信制御部１０１は、ネットワーク５を介して利用者端末１とデータサーバ装置３からコマンドを受信し、受信したコマンドに応じて登録要求部１０２と利用予約要求部１０３とダウンロード要求部１０５と課金データ受付部１０６に各コマンドを送る制御を行う。
また、通信制御部１０１は、登録要求部１０２と利用予約要求部１０３とダウンロード要求部１０５と課金データ受付部１０６から受け取った各コマンドの応答を、受け取ったコマンドに応じて利用者端末１とデータサーバ装置３にネットワーク５を介して送信する制御を行う。
また、通信制御部１０１は、ネットワーク５を介してデータサーバ装置３から演奏データを受信し、利用者端末１に送信する制御を行う。
さらにまた、通信制御部１０１は、ネットワーク５を介してデータサーバ装置３で生成された課金データを受信し、利用者端末１に送信する制御を行う。
【００３７】
登録要求部１０２は、ネットワーク５を介して利用者端末１から登録依頼を受け取り、利用者端末１から受け取った登録依頼をデータサーバ装置３にネットワーク５を介して発行する。
【００３８】
認証要求部１０２は、ネットワーク５を介してミキシング装置４から認証依頼を受け取り、ミキシング装置４から受け取った認証依頼をデータサーバ装置３にネットワーク５を介して発行する。
【００３９】
利用予約要求部１０３は、ネッットワーク５を介して利用者端末１から利用予約依頼を受け取り、利用者端末１から受け取った利用予約依頼を利用予約依頼としてデータサーバ装置３にネットワーク５を介して発行する。
【００４０】
演奏データ送受信部１０４は、ネットワーク５を介してデータサーバ装置３から受け取った演奏データを図示しない記憶部に記憶する。
また、演奏データ送受信部１０４は、受け取った演奏データを図示しない記憶部から読み出して利用者端末１にネットワーク５を介して送る。
【００４１】
データサーバ装置３は、本サービス提供者が使用する装置であり、通信制御部２０１、登録受付部２０２、利用者データ記憶部２０３、利用予約受付部２０４、予約情報データ記憶部２０５、特番データ記憶部２０６、認証部２０７、演奏データ記憶部２０８、利用終了受付部２０９、演奏データ送受信部２１０、ダウンロード受付部２１１、課金データ生成部２１２から構成されている。
【００４２】
通信制御部２０１は、ネットワーク５を介してサーバ装置２とミキシング装置４から各種コマンドを受信し、受信したコマンドに応じて登録受付部２０２、利用予約受付部２０４、認証部２０７、利用終了受付部２０９、ダウンロード受付部２１１に各コマンドを送る制御を行う。
また、通信制御部２０１は、登録受付部２０２、利用予約受付部２０４、認証部２０７、利用終了受付部２０９、ダウンロード受付部２１１から受け取った各コマンドの応答を、受け取ったコマンドに応じてサーバ装置２とミキシング装置４にネットワーク５を介して送信する制御を行う。
また、通信制御部２０１は、ネットワーク５を介してミキシング装置４から演奏データを受信し、演奏データ送受信部２１０に送る制御を行う。
また、通信制御部２０１は、演奏データ送受信部２１０から演奏データを受け取り、ネットワーク５を介してサーバ装置２に送信する制御を行う。
【００４３】
登録受付部２０２は、ネットワーク５を介してサーバ装置２から加入者名を含む登録要求を受け取り、受け取った登録要求から加入者名を抽出し、利用者データ記憶部２０３に記憶する。
また、登録受付部２０２は、サーバ装置２から登録要求を受け取った後、加入者ＩＤとＷｅｂログイン・パスワードを生成し、ネットワーク５を介して登録要求の応答として利用者端末１に発行する。
また、登録受付部２０２は、生成された加入者ＩＤとＷｅｂログイン・パスワードを、抽出された加入者名と関連付けて利用者データ記憶部２０３に記憶する。
【００４４】
利用者データ記憶部２０３は、登録受付部２０２が登録要求から抽出した加入者名と、登録受付部２０２により生成された加入者ＩＤとＷｅｂログイン・パスワードが関連図けられて記憶されている。
図４は、利用者データ記憶部２０３に記憶されているデータを示す図で、利用者データ記憶部２０３には、加入者名と加入者ＩＤとＷｅｂログイン・パスワードが関連付けられて記憶されている。
【００４５】
利用予約受付部２０４は、ネットワーク５を介してサーバ装置２から加入者ＩＤと予約を希望された予約日時と回線使用数およびミキシング・モードを含む利用予約要求を受け取る。
また、利用予約受付部２０４は、サーバ装置２から受け取った利用予約要求から、加入者ＩＤと予約希望された予約日時と回線使用数およびミキシング・モードを各々抽出し、抽出された加入者ＩＤと同じ加入者ＩＤが利用者データ記憶部２０３に記憶されているか否かを確認する。
抽出された加入者ＩＤと同じデータが利用者データ記憶部２０３に記憶されていた場合、利用予約受付部２０４は、受け取った予約日時にミキシング装置が他の利用者から予約済みか否か等を参照し、本合奏システムが予約日時に使用可能か確認する。
受け取った予約日時に本合奏システムが使用可能な場合、利用予約受付部２０４は特番と予約ＩＤおよび特番アクセス・パスワードを生成して、利用予約要求の応答として利用者端末１に発行する。
また、利用予約受付部２０４は、抽出された加入者ＩＤと予約日時と予約回線数、さらに生成された予約ＩＤと特番アクセス・パスワードを関連付けて、予約情報データ記憶部２０５に記憶する。
また、利用予約受付部２０４は、抽出された加入者ＩＤと同じデータが利用者データ記憶部２０３に記憶されていない場合、または予約日時にミキシング装置４が他の利用者からの予約により利用できない場合、予約できなかったことを知らせる通知を生成し、利用予約要求の応答としてサーバ装置２にネットワーク５を介して発行する。
【００４６】
利用予約受付部２０４は、ネットワーク５を介してサーバ装置２からミキシング・モードを含む利用予約要求を受け取り、サーバ装置２から受け取った利用予約要求からミキシング・モードを抽出する。
また、利用予約受付部２０４は、抽出されたミキシング・モードに基づき、特番データ記憶部２０６の音声データのみのミキシングを行うか、音声データと画像データのミキシングを行うかのミキシング・モードを設定する。
【００４７】
予約情報データ記憶部２０５は、利用予約受付部２０４が利用予約要求から抽出した加入者ＩＤと予約日時と予約回線数と、利用予約受付部２０４により生成された予約ＩＤと特番アクセス・パスワードが関連付けられて記憶されている。
図５は、予約情報データ記憶部２０５に記憶されているデータを示す図で、利用者データ記憶部２０４には、予約ＩＤと加入者ＩＤと予約日時と予約回線数と特番アクセス・パスワードが関連付けられて記憶されている。
【００４８】
特番データ記憶部２０６は、登録受付部２０２により抽出されたミキシング・モードに基づき、音声データのみか音声データと画像データかを記憶する。
図６は、特番情報データ２０７に記憶されているデータを示す図で、特番情報データ２０７には、音声データのみのミキシング・モード使用時の専用アクセス・アドレス、音声データと画像データのミキシング・モード使用時の専用アクセス・アドレスが記憶されている。
【００４９】
認証部２０７は、ネットワーク５を介してミキシング装置４から予約ＩＤと特番アクセス・パスワードを含む認証要求を受け取り、通信制御部２０１から受け取った認証要求から予約ＩＤと特番アクセス・パスワードと認証要求を受け取った日時を抽出する。
また、認証部２０７は、抽出された特番アクセス・パスワードが正しいか予約情報データ記憶部２０５に確認し、また特番アクセス・パスワードと関連付けられて予約情報データ記憶部２０５に記憶されている予約日時と、認証確認要求を受け取った日時が一致しているか確認する。
予約情報データ記憶部２０５への確認により、特番アクセス・パスワードと予約日時が正しい場合、認証部２０７は認証ＯＫと判断する。
【００５０】
認証部２０７は、認証要求から抽出された予約ＩＤに関連付けられて記憶されている加入者ＩＤと予約回線数を、予約情報データ記憶部２０５から読み出し、さらに、ネットワーク５を介してミキシング装置４に認証要求の応答である認証ＯＫを送る。
また、認証部２０７は、ミキシング装置４から予約ＩＤと加入者ＩＤと予約回線数と認証要求を受け取った日時を取得して、取得された時間を合奏開始日時として生成する。
また、認証部２０７は、認証要求から抽出された予約ＩＤと加入者ＩＤと予約回線数と、生成された合奏開始日時を関連付けて演奏データ記憶部２０８に記憶する。
【００５１】
認証部２０７は、特番データ記憶部２０６からミキシング・モードを読み出し、演奏データ記憶部２０８に記憶する。
また、認証部２０７は、ミキシング・モードが音声データのみの場合は、録音データを演奏データ記憶部２０８に記憶し、さらに演奏データ記憶部２０８に「録音データ有」と「録画データ無」の設定を記録する。
また、認証部２０７は、ミキシング・モードが音声データ付き画像データの場合は、録画データを演奏データ記憶部２０８に記憶し、さらに演奏データ記憶部２０８に「録音データ無」と「録画データ有」の設定を記録する。
【００５２】
演奏データ記憶部２０８は、演奏データ送受信部２１０から受け取った演奏データを記憶する。
また、演奏データ記憶部２０８は、登録受付部２０２が抽出した加入者ＩＤ、利用予約受付部２０４が抽出したミキシング・モード、認証部２０７が予約情報データ記憶部２０５から読み出した予約ＩＤと予約回線数、認証部２０７で取得された合奏開始日時、利用終了受付部２０９で取得された合奏終了日時、認証部２０７が設定した録音データの有無、録画データの有無、さらに、演奏データ送受信部２１０により記憶された録音データ、録画データが関連付けられて記憶されている。
図７は、演奏データ記憶部２０８に記憶されているデータを示す図で、演奏データ記憶部２０８には、予約ＩＤ、加入者ＩＤ、合奏開始日時、合奏終了日時、予約回線数、ミキシング・モード、録音データの有無、録画データの有無、録音データ、録画データが記憶されている。
【００５３】
利用終了受付部２０９は、ネットワーク５を介してミキシング装置４から利用終了通知を受け取り、ミキシング装置４から利用終了通知を受け取った時間を取得して、取得された時間を合奏終了時間として演奏データ記憶部２０８に記憶する。
【００５４】
演奏データ送受信部２１０は、演奏データ記憶部２０８から演奏データである音声データまたは音声データ付き画像データを受け取る。
また、演奏データ送受信部２１０は、演奏データ記憶部２０８から受け取った演奏データを、ネットワーク５を介してミキシング装置４に送信する。
【００５５】
ダウンロード受付部２１１は、ネットワーク５を介してサーバ装置２からダウンロード依頼を受け取る。
続けて、ダウンロード受付部２１１は、演奏データ記憶部２０８から録音データまたは録画データを取得し、演奏データ送受信部２１０に送る。
【００５６】
課金データ生成部２１２は、利用終了受付部２０９が利用終了通知を受け取った後に、演奏データ記憶部２０８を参照して、合奏に使用された時間（合奏終了日時―合奏開始日時）を演算する。
また、課金データ生成部２１２は、利用状態である予約回線数とミキシング・モード、録音データ有無と録画データ有無を演奏データ記憶部２０８に参照し、演算された利用時間と利用状態に基づき、予め定められた料金表などから使用料金である課金データを生成し、ネットワーク５を介してサーバ装置２に発行する。
【００５７】
ミキシング装置４は、本サービス提供者が使用する装置であり、通信制御部３０１、認証要求部３０２、利用終了通知部２０３、ミキサー部３０４、演奏データ送受信部３０５から構成されている。
【００５８】
通信制御部３０１は、ネットワーク５を介して利用者端末１とデータサーバ装置３から各コマンドを受信し、受信したコマンドに応じて認証要求部３０２、利用終了通知部３０３に各コマンドを送る制御を行う。
また、通信制御部３０１は、認証要求部３０２、利用終了通知部３０３から受け取った各コマンドの応答を、ネットワーク５を介して受け取ったコマンドに応じて利用者端末１とデータサーバ装置３に送信する制御を行う。
また、通信制御部２０１は、ネットワーク５を介して利用者端末１から演奏データを受信し、利用者端末１から受信した演奏データをミキサー部３０５に送る制御を行う。
また、通信制御部２０１は、演奏データ送受信部３０５から演奏データを受け取り、ネットワーク５を介して利用者端末１とデータサーバ装置３に送信する。
【００５９】
認証要求部３０２は、ネットワーク５を介して利用者端末１から予約ＩＤと特番アクセス・パスワードを含む認証依頼を受け取り、利用者端末１から受け取った認証依頼から予約ＩＤと特番アクセス・パスワードを抽出する。
また、認証要求部３０２は、抽出された予約ＩＤと特番アクセス・パスワードの含まれる認証要求を、ネットワーク５を介してデータサーバ装置３に発行する。
また、認証要求部３０２は、認証結果が含まれる認証要求に対する応答を、ネットワーク５を介してデータサーバ装置３から受け取り、データサーバ装置３から受け取った認証要求の応答から認証結果を抽出する。
また、認証要求部３０２は、抽出された認証結果が認証ＯＫの場合、利用者端末１との接続を開始し、抽出された認証結果が認証ＮＧの場合、利用者端末１との接続を許可しない。
また、認証要求部３０２は、抽出された認証結果ＯＫかＮＧを含む認証依頼に対する応答を、ネットワーク５を介して利用者端末１に発行する。
【００６０】
利用終了通知部３０３は、ネットワーク５を介して利用者端末１から利用終了を受け取り、利用者端末１から受け取った利用終了をネットワーク５を介してデータサーバ装置３に発行する。
また、利用終了部３０３は、ネットワーク５を介してデータサーバ装置３が発行した利用終了に対する応答を受け取り、利用者端末１との接続を終了する。
【００６１】
次に、第１の実施形態において、本合奏システムの利用手順を、図３のフローチャートを用いて説明する。
まず、本合奏システム利用に際して、画像表示装置２６上に表示されている操作メニューＧ１３の利用者操作に応じて加入者名を含む登録依頼を生成し、利用者端末１の登録依頼部１６に送る。
次に、利用者端末１の登録依頼部１６は、生成された加入者名を含む登録依頼を、ネットワーク５を介してサーバ装置２に発行する（ステップＳ１）。
【００６２】
サーバ装置２の登録要求部１０２は、ネットワーク５を介して利用者端末１から加入者名を含む登録依頼を受け取る。
サーバ装置２の登録要求部１０２は、利用者端末１から受け取った登録依頼から加入者名を抽出し、抽出された加入者名を含む登録要求を、ネットワーク５を介してデータサーバ装置３に発行する（ステップＳ２）。
【００６３】
データサーバ装置３の登録受付部２０２は、ネットワーク５を介してサーバ装置２から加入者名を含む登録要求を受け取る。
データサーバ装置３の登録受付部２０２は、サーバ装置２から受け取った登録要求から加入者名を抽出する。
また、データサーバ装置３の登録受付部２０２は、サーバ装置２から登録要求を受け取った後、加入者ＩＤとＷｅｂパスワードを生成する。
また、データサーバ装置３の登録受付部２０２は、生成された加入者ＩＤとＷｅｂパスワードを、抽出された加入者名と関連付けて利用者データ記憶部２０３に記憶する（ステップＳ３）。
【００６４】
また、データサーバ装置３の登録受付部２０２は、生成された加入者ＩＤとＷｅｂパスワードを含む登録要求に対する応答を生成し、サーバ装置２に発行する（ステップＳ４）。
【００６５】
サーバ装置２の登録受付部１０２は、ネットワーク５を介してデータサーバ装置３から受け取った加入者ＩＤとＷｅｂパスワードを含む登録要求に対する応答から、加入者ＩＤとＷｅｂパスワードを抽出する。
また、サーバ装置２の登録受付部１０２は、抽出された加入者ＩＤとＷｅｂパスワードを利用者端末１から受け取った登録依頼に対する応答として、ネットワーク５を介して利用者端末１に発行する（ステップＳ５）。
【００６６】
利用者端末１の登録依頼部１６は、ネットワーク５を介してサーバ装置２から受け取った加入者ＩＤとＷｅｂパスワードを含む登録依頼に対する応答から、加入者ＩＤとＷｅｂパスワードを抽出する。
抽出された加入者ＩＤとＷｅｂパスワードは、利用者により、例えば紙にメモをする等により安全な場所に保管される。
【００６７】
次に、本合奏システム利用予約に際して、画像表示装置２６上に表示されている操作メニューＧ１３の利用者操作に応じて予約日時と予約回線数とミキシング・モードと加入者ＩＤを含む利用予約依頼を生成し、利用者端末１の予約依頼部１７に送る。
なお、予約回線数は、本システムを利用して、合奏に参加する人数に基づく数で、例えば５人で合奏を行う場合は、予約回線数＝５とする。
また、利用者端末１の予約依頼部１７は、生成された利用予約依頼を、ネットワーク５を介してサーバ装置２に発行する（ステップＳ６）。
【００６８】
サーバ装置２の予約要求部１０２は、ネットワーク５を介して利用者端末１から受け取った予約日時と予約回線数とミキシング・モードと加入者ＩＤを含む利用予約依頼を、ネットワーク５を介してデータサーバ装置３に発行する（ステップＳ７）。
【００６９】
データサーバ装置３の利用予約受付部２０４は、ネットワーク５を介してサーバ装置２から受け取った予約日時と予約回線数とミキシング・モードと加入者ＩＤを含む利用予約要求から、予約日時と予約回線数とミキシング・モードと加入者ＩＤを抽出する。
また、データサーバ装置３の利用予約受付部２０４は、利用予約要求から抽出された予約日時を予約情報データ記憶部２０５に参照し、同じ日時に他の予約が入っていないか否か確認する。
データサーバ装置３の利用予約受付部２０４が予約情報データ記憶部２０５に参照により、同じ日時に他の予約が入っていないと確認された場合、データサーバ装置３の利用予約受付部２０４は、抽出された予約日時と予約回線数とミキシング・モードと加入者ＩＤを関連付けて予約情報データ記憶部２０５に記憶する。
データサーバ装置３の利用予約受付部２０４が予約情報データ記憶部２０５に参照により、同じ日時に他の予約が入っていると確認された場合、データサーバ装置３の利用予約受付部２０４は、ネットワーク５を介してサーバ装置２に利用予約要求に対する応答である予約不可を発行する。
また、データサーバ装置３の利用予約受付部２０４は、抽出されたミキシング・モードに基づき、音声データのみのミキシングを行うのか、音声と画像データのミキシングを行うのか判別する。
また、データサーバ装置３の利用予約受付部２０４は、ミキシング・モードの判別結果に基づき、音声データのみのミキシング・モードの場合は、音声データのみのミキシングを行う際に利用者端末１が接続を行う専用アドレスである特番（音のみ）を、特番データ記憶部２０６から読み出す。
また、データサーバ装置３の利用予約受付部２０４は、ミキシング・モードの判別結果に基づき、音声データと画像データのミキシング・モードの場合は、音声と画像データのミキシングを行う際に利用者端末１が接続を行う専用アドレスである特番（音＋画像）を、特番データ記憶部２０６から読み出す。
また、データサーバ装置３の利用予約受付部２０４は、専用アドレスである各特番にアクセスするための特番アクセス・パスワードと予約ＩＤを生成する。
また、データサーバ装置３の利用予約受付部２０４は、生成された特番アクセス・パスワードと特番データ記憶部２０６から読み出した特番を、予約情報データ記憶部２０５に記憶されている予約日時と予約回線数とミキシング・モードと加入者ＩＤに関連付けて記憶する（ステップＳ８）。
【００７０】
データサーバ装置３の利用予約受付部２０４は、生成された予約ＩＤと特番アクセス・パスワードと特番データ記憶部２０６から読み出した特番を、ネットワーク５を介してサーバ装置２に利用予約要求に対する応答として発行する（ステップＳ９）。
【００７１】
サーバ装置２の予約要求部１０２は、ネットワーク５を介してデータサーバ装置３から特番と特番アクセス・パスワードと予約ＩＤを含む利用予約要求に対する応答を受け取り、受け取った利用要求に対する応答をネットワーク５を介して利用者端末１に発行する（ステップＳ１０）。
利用者端末１の予約依頼部１７は、ネットワーク５を介して受け取った特番と特番アクセス・パスワードと予約ＩＤを含む利用予約依頼に対する応答を受け取る。
また、利用者端末１の予約依頼部１７は、受け取った利用予約依頼の応答から、特番と特番アクセス・パスワードと予約ＩＤを抽出し、画像出力部１４に送り画像表示装置２６に表示する。
【００７２】
次に、利用者は予約した日時に、利用者端末１の画像表示装置２６上に表示されている操作メニューＧ１３に応じて、予約ＩＤと特番アクセス・パスワードを入力装置２７から入力する。
利用者端末１の認証依頼部１８は、特番アクセス・パスワードを含む認証依頼を生成し、生成された認証依頼をネットワーク５を介してミキシング装置４に発行する（ステップＳ１１）。
【００７３】
ミキシング装置４の認証要求部３０２は、ネットワーク５を介して利用者端末１から受け取った予約ＩＤと特番アクセス・パスワードを含む認証依頼を受け取る。
また、ミキシング装置４の認証要求部３０２は、利用者端末１から受け取った予約ＩＤと特番アクセス・パスワードを含む認証依頼から予約ＩＤと特番アクセス・パスワードを抽出し、認証依頼から抽出された予約ＩＤと特番アクセス・パスワードを含む認証要求を、ネットワーク５を介してデータサーバ装置３に発行する（ステップＳ１２）。
【００７４】
データサーバ装置３の認証部２０７は、ネットワーク５を介してミキシング装置４から予約ＩＤと特番アクセス・パスワードを含む認証要求を受け取る。
また、データサーバ装置３の認証部２０７は、受け取った予約ＩＤと特番アクセス・パスワードを含む認証要求から予約ＩＤと特番アクセス・パスワードを抽出する。
また、データサーバ装置３の認証部２０７は、ミキシング装置４から認証要求を受け取った日時を取得する。
また、データサーバ装置３の認証部２０７は、予約情報データ記憶部２０５に抽出した予約ＩＤと特番アクセス・パスワードとが関連付けられて記憶されているか照合する。
予約情報データ記憶部２０５への照合により、予約情報データ記憶部２０５に抽出した予約ＩＤと特番アクセス・パスワードとが関連付けられて記憶されている場合は、データサーバ装置３の認証部２０７は、予約情報データ記憶部２０５から加入者ＩＤと予約回線数と予約日時を取得する。
予約情報データ記憶部２０５への照合により、関連付けられて記憶されていない場合は、データサーバ装置３の認証部２０７は、認証結果ＮＧとする。
次に、データサーバ装置３の認証部２０７は、ミキシング装置４から認証要求を受け取った日時が、予約情報データ記憶部２０５から取得した予約日時と合致するか確認し、合致する場合、認証結果ＯＫとする。
また、データサーバ装置３の認証部２０７は、ミキシング装置４から認証要求を受け取った日時が、予約情報データ記憶部２０５から取得した予約日時と合致するか確認し、合致しない場合、認証結果ＮＧとする。
【００７５】
また、認証結果がＯＫの場合、データサーバ装置３の認証部２０７は、利用者端末１がアクセスしているミキシング装置４の専用アドレスである特番を取得し、取得した特番からミキシング・モードを判別する。
また、認証結果がＯＫの場合、データサーバ装置３の認証部２０７は、予約情報データ記憶部２０５から取得した加入者ＩＤと予約回線数、および受け取った認証要求から抽出された予約ＩＤと特番アクセス・パスワード、およびミキシング装置４から認証要求を受け取った日時を合奏開始時間として、これらを関連付けて演奏データ記憶部２０８に記憶する。
また、認証結果がＯＫの場合、データサーバ装置３の認証部２０７は、判別されたミキシング・モードに基づき、音声データのみミキシングの場合は録音データ有と録画データ無の設定をデータ記憶部２０８に記憶する。
また、認証結果がＯＫの場合、データサーバ装置３の認証部２０７は、判別されたミキシング・モードに基づき、音声と画像データをミキシングの場合は録音データ無と録画データ有の設定を演奏データ記憶部２０８に記憶する（ステップＳ１３）。
【００７６】
データサーバ装置３の認証部２０７は、認証結果がＯＫの場合、認証結果ＯＫと予約情報データ記憶部２０５から取得した予約日時を、認証要求に対する応答としてネットワーク５を介してミキシング装置４に発行する。
また、データサーバ装置３の認証部２０７は、認証結果がＮＧの場合、認証結果ＮＧを、認証要求に対する応答としてネットワーク５を介してミキシング装置４に発行する（ステップＳ１４）。
【００７７】
ミキシング装置４の認証要求部３０２は、ネットワーク５を介してデータサーバ装置３から認証結果と予約日時を含む認証要求に対する応答の認証結果を受け取る。
また、ミキシング装置４の認証要求部３０２は、データサーバ装置３から受け取った認証結果から認証結果と予約日時を抽出する。
また、ミキシング装置４の認証要求部３０２は、抽出された認証結果がＯＫの場合は、利用者端末１からミキサー表示部３０４の操作を許可する。
また、ミキシング装置４の認証要求部３０２は、抽出された認証結果を含む認証依頼に対する応答を、ネットワーク５を介して利用者端末１に発行する。
また、ミキシング装置４の認証要求部３０２は、抽出された予約日時に基づき、本合奏システムの予約終了日時を利用終了通知部３０３に送る。
また、ミキシング装置４の利用終了通知部３０３は、受け取った利用終了日時に基づき、終了時間を図示しないタイマーで監視する。
一方、ミキシング装置４の認証要求部３０２は、抽出された認証結果がＮＧの場合は、利用者端末１からのミキサー表示部３０４への操作を許可しない（ステップＳ１５）。
【００７８】
利用者端末１の認証依頼部１８は、ネットワーク５を介してミキシング装置４から受け取った認証結果を含む認証依頼に対する応答を受け取り、画像表示部１４に送り画像表示装置２６に認証結果を表示する。
ミキシング装置４から受け取った認証結果がＯＫの場合、利用者端末１の認証依頼部１８は、利用者端末１に接続されている画像表示装置２６上のミキサー操作部の操作を有効にする。
ミキシング装置４から受け取った認証結果がＮＧの場合、利用者端末１の認証依頼部１８は、利用者端末１に接続されている画像表示装置２６上に認証結果ＮＧを表示する。
【００７９】
利用者端末１の音声入力部１１と画像入力部１２から入力された演奏データを、ネットワーク５を介してミキシング装置４に送信する。
ミキシング装置４の演奏データ送受信部３０５は、ネットワーク５を介して利用者端末１から演奏データを受け取る。
また、ミキシング装置４の演奏データ送受信部３０５は、利用者端末１から受け取った演奏データをミキサー部３０４に送る。
ミキシング装置４のミキサー部３０４は、複数の利用者端末１から受け取った演奏データを合成する。
また、ミキシング装置４のミキサー部３０４は、合成された演奏データを、演奏データ送受信部３０５に送る。
ミキシング装置４の演奏データ送受信部３０５は、ネットワーク５を介して合成された演奏データを利用者端末１に送信する（ステップＳ１６）。
【００８０】
ミキシング装置４の演奏データ送受信部３０５は、合成された演奏データをデータサーバ装置３にネットワーク５を介して送信する（ステップＳ１７）。
【００８１】
データサーバ装置３の演奏データ送受信部２１０は、ネットワーク５を介してミキシング装置４から演奏データを受信する。
また、データサーバ装置３の演奏データ送受信部２１０は、ミキシング・モードが音声のみミキシングの場合は、ミキシング装置４から受信した演奏データから音声データを分離して、音声データのみ演奏データ記憶部２０８に記憶する。
また、データサーバ装置３の演奏データ送受信部２１０は、ミキシング・モードが音声と画像データのミキシングの場合は、ミキシング装置４から受信した演奏データを演奏データ記憶部２０８に記憶する（ステップＳ１８）。
【００８２】
利用者端末１のミキサー操作部１９は、本合奏システムの予約時に設定したミキシング・モードに基づき、音声データのみミキシング操作か、音声データと画像データの両方のミキシング操作か、図示しないマウスやキーボード等の入力装置２７からの入力によりミキシング操作が行われる。
利用者端末１のミキサー操作部１９は、外部入力装置２７から制御された音量調整値を画像表示装置２６上のミキサー表示部Ｇ４の音量調整ボリュームＧ６に反映して図示化して表示する。
また、利用者端末１のミキサー操作部１９は、外部入力装置２７から制御された音量調整値を、ミキシング装置４に発行する（ステップＳ１９）。
【００８３】
ミキシング装置４のミキサー表示部３０４は、ネットワーク５を介して利用者端末１から音量調整値を受け取る。
また、ミキシング装置４のミキサー表示部３０４は、利用者端末１から受け取った音量調整値に基づき、利用者端末１から受信した音声データの音声レベルを調整する。
また、ミキシング装置４のミキサー表示部３０４は、合奏に参加している複数の利用者端末１から受け取った各音量調整量に基づき、各利用者端末１から受信した各音声データの音声レベルを調整する（ステップＳ２０）。
【００８４】
ミキシング装置４のミキサー表示部３０４は、合奏に参加している複数の利用者端末１から受け取った各音量調整量を含む音量状態通知を合奏に参加している複数の各利用者端末１にネットワーク５を介して発行する（ステップＳ２１）。
【００８５】
利用者端末１のミキサー操作部１９は、ネットワーク５を介してミキシング装置４から合奏に参加している他の演奏者の各音量調整量を含む音量状態通知を受け取る。
また、利用者端末１のミキサー操作部１９は、ミキシング装置４から受け取った音量状態通知から、合奏に参加している他の演奏者の各音量調整量を抽出する。
また、利用者端末１のミキサー操作部１９は、抽出された合奏に参加している他の演奏者の各音量調整量に基づき、画像表示装置２６上のミキサー表示部Ｇ４とＧ７とＧ１０のレベルメータＧ５とＧ８とＧ１１、および音量調整ボリュームＧ６とＧ９とＧ１２に反映して図示化して表示する。
【００８６】
利用者は合奏が終了したら、利用者端末１の画像表示装置２６上の操作メニューＧ１３から、利用終了を選択し、ネットワーク５を介してミキシング装置４に利用終了依頼を発行する。
ミキシング装置４の利用終了通知部３０３は、ネットワーク５を介して利用者端末１から利用終了依頼を受け取り、利用者端末１との接続を解除する。
また、ミキシング装置４の利用終了通知部３０３は、図示しないタイマーにより認証要求部３０２から受け取った利用終了時間になった場合に、利用時間が終了したことを利用者端末１に発行し、利用者端末１との接続を解除する（ステップＳ２２）。
【００８７】
ミキシング装置４の利用終了通知部３０３は、利用終了通知部３０３の図示しないタイマーにより利用終了時間になった時か、利用者端末１から利用終了依頼を受け取った時に、
データサーバ装置３に発行する（ステップＳ２３）。
【００８８】
データサーバ装置３の利用終了受付部２０９は、ネットワーク５を介してミキシング装置４から受け取った利用終了通知を受け取る。
また、データサーバ装置３の利用終了受付部２０９は、利用終了通知を受け取った日時を取得し、演奏データ記憶部２０８の合奏終了日時として記憶する。
データサーバ装置３の利用終了受付部２０９は、受け取った利用終了通知に基づき、本合奏システムが使用した予約ＩＤに関連付けられた予約情報を、予約情報データ記憶部２０５から削除する（ステップＳ２４）。
【００８９】
データサーバ装置３の利用終了受付部２０９は、利用終了の手続きが完了したことによる利用終了をミキシング装置４にネットワーク５を介して発行する（ステップＳ２５）。
【００９０】
利用者は、合奏終了後、合奏で作成された録音データもしくは録画データのダウンロードを希望する場合は、利用者端末１の画像表示装置２６上の操作メニューＧ１３から、録音データか録画データかのダウンロードの種類を選択する。
利用者によりダウンロードの種類が選択された場合、利用者端末１のダウンロード依頼部２０は、ネットワーク５を介してサーバ装置２にダウンロードの種類を含むダウンロード依頼を発行する（ステップＳ２６）。
【００９１】
サーバ装置２のダウンロード要求部１０５は、ネットワーク５を介して利用者端末１からダウンロードの種類を含むダウンロード依頼を受け取る。
また、サーバ装置２のダウンロード要求部１０５は、利用者端末１から受け取ったダウンロード依頼により、演奏データ取得要求をデータサーバ装置３に発行する（ステップＳ２７）。
【００９２】
データサーバ装置３のダウンロード受付部２１１は、ネットワーク５を介してサーバ装置２から受け取ったダウンロードの種類を含む演奏データ取得要求を受け取る。
また、データサーバ装置３のダウンロード受付部２１１は、受け取った演奏データ取得要求からダウンロードの種類を抽出する。
また、データサーバ装置３のダウンロード受付部２１１は、抽出されたダウンロードの種類に基づき、演奏データ記憶部２０８から録音データか録画データを読み出し、演奏データ送受信部２１０に送る（ステップＳ２８）。
【００９３】
データサーバ装置３の演奏データ送受信部２１０は、受け取った録音データか録画データをサーバ装置２に送信する（ステップＳ２９）。
【００９４】
サーバ装置２の演奏データ送受信部１０４は、ネットワーク５を介してデータサーバ装置３から録音データか録画データを受信する。
サーバ装置２の演奏データ送受信部１０４は、データサーバ装置３から受信した録音データか録画データを、ネットワーク５を介して利用者端末１に送信する（ステップＳ３０）。
【００９５】
利用者端末１のダウンロード操作が完了した後、データサーバ装置３の課金データ生成部２１２は、利用状態である予約回線数とミキシング・モード、録音データ有無と録画データ有無を演奏データ記憶部２０８に参照し、演算された利用時間と利用状態に基づき、予め定められた料金表などから使用料金である課金データを生成する（ステップＳ３１）。
【００９６】
データサーバ装置３の課金データ生成部２１２は、生成された課金データを、ネットワーク５を介してサーバ装置２に発行する（ステップＳ３２）。
【００９７】
サーバ装置２の課金データ受付部１０６は、ネットワーク５を介してデータサーバ装置３から課金データを受け取る。
また、サーバ装置２の課金データ受付部１０６は、データサーバ装置３から受け取った課金データを利用料金としてネットワーク５を介して利用者端末１に発行する（ステップＳ３３）。
【００９８】
利用者端末１の課金データ部２８は、ネットワーク５を介してサーバ装置２から利用料金を受け取り、サーバ装置２から受け取った利用料金を画像出力部１４に送り、画像表示装置２６上に表示する。
【００９９】
[第２実施形態]
次に、図８〜１０を用いて第２の実施形態について説明する。
図８のように、ネットワーク５には、同じ構成の３台の利用者端末１、利用者端末６、利用者端末７が接続されている。
利用者端末１は利用者１が操作を行い、利用者端末６は利用者２が操作を行い、利用者端末７は利用者３が操作を行う。
各利用者端末１、利用者端末６、利用者端末７の内部構造において、第１の実施形態との違いは、ミキシング設定部４０１、ミキシング設定部４０２、ミキシング設定部４０３であり、他は同一のため説明は省略する。
【０１００】
ミキシング設定部４０１は、利用者１が、利用者端末６と利用者端末７のミキサー操作部１９の操作を行うか否かのミキシング設定を行う。
また、ミキシング設定部４０１は、設定されたミキシング設定をネットワーク５を介してミキシング装置４、および利用者端末６と利用者端末７に発行する。
【０１０１】
次に、第２の実施形態の本合奏システムの利用手順を、図９と図１０のフローチャートを用いて説明する。なお、第１の実施形態と同じ手続きについては、図３と同じ番号を用い、説明は省略する。
【０１０２】
図９のステップＳ１〜ステップＳ１８までは、第１の実施形態と同様に行う。
【０１０３】
次に、利用者１は、利用者端末１に接続されている画像表示装置２６上の操作メニューＧ１３を操作して、利用者１が利用者端末６と利用者端末７のミキサー操作部１９の操作を行うようにミキシング設定を行う。
次に、利用者端末１のミキサー設定部４０１は、設定されたミキシング設定を、ネットワーク５を介してミキシング装置４にミキシング設定依頼として発行する（ステップＳ１０１）。
【０１０４】
ミキシング装置４のミキサー表示部３０４は、ネットワーク５を介して利用者端末１からミキシング設定依頼を受け取る。
また、ミキシング装置４のミキサー部３０４は、利用者端末１から受け取ったミキサー設定依頼に基づき、利用者端末６からの音量調整量と利用者端末７からの音量調整量を受け付けないように設定し、利用者端末１から、全ての利用者端末のミキサー操作部１９で音量調整を行えるように設定する。
また、ミキシング装置４のミキサー部３０４は、設定されたミキシング設定内容を含むミキシング設定通知を、利用者端末１と利用者端末６と利用者端末７にネットワーク５を介して発行する（ステップＳ１０２、Ｓ１０３、Ｓ１０４）。
【０１０５】
利用者端末１ミキサー設定部４０１は、ネットワーク５を介してミキシング装置４からミキシング設定通知を受け取り、ミキシング設定内容を抽出して、ミキサー操作部１９に送る。
同様に、利用者端末２ミキサー設定部４０２は、ネットワーク５を介してミキシング装置４からミキシング設定通知を受け取り、ミキシング設定内容を抽出して、ミキサー操作部１９に送る。
同様に、利用者端末３ミキサー設定部４０３は、ネットワーク５を介してミキシング装置４からミキシング設定通知を受け取り、ミキシング設定内容を抽出して、ミキサー操作部１９に送る。
【０１０６】
次に、利用者端末１のミキサー操作部１９は、画像表示装置２７上のミキサー表示部Ｇ４とＧ７とＧ１０にて、利用者端末１の音量調整を音量調整ボリュームＧ６で行い、利用者端末２の音量調整を音量調整ボリュームＧ９で行い、利用者端末３の音量調整を音量調整ボリュームＧ１３で行い、各利用者端末の音量調整量を、ネットワーク５を介してミキシング装置４に発行する（ステップＳ１０４）。
【０１０７】
次に、図１０のように、ミキシング装置４のミキサー表示部３０４は、ネットワーク５を介して利用者端末１から受け取った利用者端末１と利用者端末６と利用者端末７の音量調整量に基づき、音量を調整して合成する。
また、ミキシング装置４のミキサー部３０４は、各利用者端末の音量調整量を、ネットワーク５を介して利用者端末１と利用者端末６と利用者端末７に発行する（ステップＳ２１、Ｓ１０６、Ｓ１０７）。
【０１０８】
利用者端末１のミキサー操作部１９は、ネットワーク５を介してミキシング装置４から受け取った合奏に参加している他の演奏者の各音量調整量に基づき、画像表示装置２６上のミキサー表示部Ｇ４とＧ７とＧ１０のレベルメータＧ５とＧ８とＧ１１、および音量調整ボリュームＧ６とＧ９とＧ１２に反映して図示化して表示する。
同様に、利用者端末２および利用者端末３のミキサー操作部１９は、ネットワーク５を介してミキシング装置４から受け取った合奏に参加している他の演奏者の各音量レベル値に基づき、画像表示装置２６上のミキサー表示部Ｇ４とＧ７とＧ１０のレベルメータＧ５とＧ８とＧ１１、および音量調整ボリュームＧ６とＧ９とＧ１２に反映して図示化して表示する。
【０１０９】
以下、ステップＳ２２〜ステップＳ３３は、第１の実施形態と同様に行われるため、説明を省略する。
【０１１０】
なお、第１および第２の実施形態では、ミキシング装置４の利用終了通知部３０３が、利用終了時間になったことを利用者端末１に通知する例について説明したが、例えば、終了時間の５分前等の一定時間前に通知するようにしても良く、あるいは、利用者端末１から終了時間の何分前に通知を受け取るか設定するようにしても良い。
【０１１１】
また、利用者端末１が合奏を開始した時、もしくは合奏中にデータサーバ装置３の認証部２０７が、予約情報データ記憶部２０５を照合して、予約されている日時以降に他の予約が行われていないかを確認して、利用延長が可能か否かと延長可能時間を、ミキシング装置４からの認証要求に対する応答と一緒に発行するようにしても良い。
この場合、ミキシング装置４の認証要求部３０２は、データサーバ装置３から利用延長が可能か否かと延長可能時間を受け取り、利用者端末１へ認証依頼に対する応答と合わせて発行しても良く、または合奏中に音量データ値と合わせて、適時、利用者端末１に発行するようにしても良い。
利用者端末１の認証依頼部１８は、ミキシング装置４から受け取った利用延長が可能か否かと延長可能時間を、画像出力部１４に送り、画像表示装置２６上に表示する。利用者は、画像表示装置上のこの表示を確認して、必要に応じて画像表示装置２６上の操作メニューＧ１３から延長利用が可能な場合に延長手続きを行えるようにしても良い。
【０１１２】
また、第１および第２の実施形態では、利用者端末１のミキサー操作部１９で音量を調整する例について説明したが、左右のバランスを調整するようにしても良い。
また、音声データの調整に限らず、画像データに関しても、明るさ色合いなどの調整、他の合奏者の画像とオーバーレイ表示もしくは分割表示、画像の表示位置なども調整するようにしても良い。
【０１１３】
また、第２の実施形態では、利用者端末１のミキサー操作部１９で音量を調整する例について説明したが、ネットワークに接続されている利用者端末１と利用者端末６と利用者端末７のミキサー操作部１９の操作は、他の端末である利用者端末６と利用者端末７が行うように利用者端末６のミキシング設定部４０２または利用者端末６のミキシング設定部４０３で設定を行い、ステップＳ１０１でミキシング装置４に発行し操作を行うようにしても良い。
【０１１４】
また、第１および第２の実施形態では、複数の利用者端末１からの音声データと画像データをミキシング装置４に送信し、ミキシング装置４が各々のデータを受信して、受信された音声データを合成し受信された画像データを合成し、演奏データである合成された音声データと合成された画像データをデータサーバ装置２０１に送信し、ミキシング装置４から受信した演奏データをデータサーバ装置２０１で記録する例について説明した。
利用者端末１の環境等により、ネットワーク５の負荷を軽減したい場合には、利用者端末１から音声データのみをミキシング装置４に送信し、利用者端末１から受信した音声データをミキシング装置４が合成し、合成された音声データをデータサーバ装置２０１に送信し、ミキシング装置４から受信した音声データのみをデータサーバ装置２０１で記録するようにしても良い。
【０１１５】
なお、第１および第２の実施形態の図１および図８の機能の全て、もしくは一部を、利用者端末１または利用者端末６または利用者端末７またはミキシング装置４またはサーバ装置２またはデータサーバ装置３の図示しないＣＰＵ（中央演算装置）に接続されたＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）もしくはＵＳＢ  Ｉ／Ｆを介して接続されるＵＳＢメモリー等に保存されているプログラムにより実行することも可能である。
【０１１６】
以上、本発明によれば、利用者は利用者端末１で演奏中に音量調整を行い、行われた音量調整量を、ネットワークを介しミキシング装置４に発行する。また、ミキシング装置４は合奏に参加している複数の利用者端末１から受け取った各音量調整量に基づき、各利用者端末１から受信した各音声データの音声レベルを調整するようにしたので、演奏中に利用者が自由に音量調整を行うことが可能になった。
【０１１７】
また、第２の実施形態によれば、各利用者端末１にミキシング設定部４０１〜４０３を備え、ネットワーク５を介して接続されているミキシング装置４に対して、利用者端末１か利用者端末６か利用者端末７のどの端末から音量調整等を行うか設定するようにしたので、複数の利用者端末１と６と７の利用者１と２と３が同時に音量調整を行ってしまうことを防ぐことが可能になった。
【０１１８】
また、第２の実施形態によれば、複数の利用者端末１と６と７の利用者１と２と３が、各自好みの音量調整をし続けることにより、全体の音量が大きくなりすぎることを防ぎ、各利用者間の音量バランスがまとまらなくなることを防ぐことが可能になった。
【符号の説明】
【０１１９】
１・・・利用者端末
２・・・サーバ装置
３・・・データサーバ装置
４・・・ミキシング装置
５・・・ネットワーク
１１・・・音声入力部
１２・・・画像入力部
１３・・・音声出力部
１４・・・画像出力部
１５、１０１、２０１、３０１・・・通信制御部
１６・・・登録依頼部
１７・・・予約依頼部
１８・・・認証依頼部
１９・・・ミキサー操作部
２０・・・ダウンロード依頼部
２１・・・演奏データ受信部
２２・・・音声・画像記憶部
２３・・・音声入力装置
２４・・・画像入力装置
２５・・・音声再生装置
２６・・・画像表示装置
２７・・・入力装置
２８・・・利用料金部
１０２・・・登録要求部
１０３・・・予約要求部
１０４、２１０、３０５・・・演奏データ送受信部
１０６・・・課金データ受付部
２０２・・・登録受付部
２０３・・・利用者データ記憶部
２０４・・・利用予約受付部
２０５・・・予約情報データ記憶部
２０６・・・特番データ記憶部
２０７・・・認証部
２０８・・・演奏データ記憶部
２０９・・・利用終了受付部
２１１・・・ダウンロード受付部
２１２・・・課金データ生成部
３０３・・・利用終了通知部
３０２・・・認証要求部
３０４・・・ミキサー表示部
４０１、４０２、４０３・・・ミキシング設定部
【図１】
2011075652.tif 000003
【図２】
2011075652.tif 000004
【図３】
2011075652.tif 000005
【図４】
2011075652.tif 000006
【図５】
2011075652.tif 000007
【図６】
2011075652.tif 000008
【図７】
2011075652.tif 000009
【図８】
2011075652.tif 000010
【図９】
2011075652.tif 000011
【図１０】
2011075652.tif 000012